(57)【要約】【課題】本考案は、インデックス機能に優れていて、内部の収納書類等が判別し易く、しかも再利用の点や、環境面にも配慮した紙製ホルダーを提供する。【解決手段】本考案の紙製ホルダーは、矩形状の表紙体２と背紙体３とを、これらの外周４辺のうち、隣り合う２辺の対応する各辺同士を接合し、他の２辺間は各々不接合としたホルダー本体４と、表紙体２の任意箇所にこの表紙体２から切り取り分離可能に設けた矩形、多角形、円形、楕円形、ひし形等の形状から選定される開口用片部５と、表紙体２又は背紙体３の不接合の１辺端縁に切り取り可能に設けた単数又は複数のインデックス片７とを有するものである。【選択図】図１
0003105385.tif 000002
【実用新案登録請求の範囲】
【請求項１】
矩形状の表紙体と背紙体とを、これらの外周４辺のうち、隣り合う２辺の対応する各辺同士を接合し、他の２辺間は各々不接合としたホルダー本体と、
前記表紙体の任意箇所にこの表紙体から切り取り分離可能に設けた開口用片部と、
前記表紙体又は背紙体の不接合の１辺端縁に切り取り可能に設けた単数又は複数のインデックス片と、
を有することを特徴とする紙製ホルダー。
【請求項２】
矩形状の表紙体と背紙体とを、これらの外周４辺のうち、隣り合う２辺の対応する各辺同士を接合し、他の２辺間は各々不接合としたホルダー本体と、
前記表紙体の任意箇所にこの表紙体から切り取り分離可能に設けた矩形、多角形、円形、楕円形、ひし形等の形状から選定される開口用片部と、
前記表紙体又は背紙体の不接合の１辺端縁に切り取り可能に設けた単数又は複数のインデックス片と、
を有することを特徴とする紙製ホルダー。
【請求項３】
矩形状の表紙体と背紙体とを、これらの外周４辺のうち、隣り合う２辺の対応する各辺同士を接合し、他の２辺間は各々不接合としたホルダー本体と、
前記表紙体の任意箇所にこの表紙体から切り取り分離可能に設けた矩形、多角形、円形、楕円形、ひし形等の形状から選定される開口用片部と、
前記表紙体又は背紙体の不接合の１辺端縁に個々に切り取り可能に列設した小インデックス片群からなるインデックス片と、
を有することを特徴とする紙製ホルダー。
【請求項４】
矩形状の表紙体と背紙体とを、これらの外周４辺のうち、隣り合う２辺の対応する各辺同士を接合し、他の２辺間は各々不接合としたホルダー本体と、
前記表紙体の任意箇所にこの表紙体から切り取り分離可能に設けた開口用片部と、
前記表紙体又は背紙体の不接合の２辺端縁に各々切り取り可能に設けた単数又は複数のインデックス片と、
を有することを特徴とする紙製ホルダー。
【請求項５】
矩形状の表紙体と背紙体とを、これらの外周４辺のうち、隣り合う２辺の対応する各辺同士を接合し、他の２辺間は各々不接合としたホルダー本体と、
前記表紙体の任意箇所にこの表紙体から切り取り分離可能に設けた矩形、多角形、円形、楕円形、ひし形等の形状から選定される開口用片部と、
前記表紙体又は背紙体の不接合の２辺端縁に各々切り取り可能に設けた単数又は複数のインデックス片と、
を有することを特徴とする紙製ホルダー。
【請求項６】
矩形状の表紙体と背紙体とを、これらの外周４辺のうち、隣り合う２辺の対応する各辺同士を接合し、他の２辺間は各々不接合としたホルダー本体と、
前記表紙体の任意箇所にこの表紙体から切り取り分離可能に設けた矩形、多角形、円形、楕円形、ひし形等の形状から選定される開口用片部と、
前記表紙体又は背紙体の不接合の２辺端縁に各々個々に切り取り可能に列設した小インデックス片群からなるインデックス片と、
を有することを特徴とする紙製ホルダー。
【請求項７】
矩形状の表紙体と背紙体とを、これらの外周４辺のうち、隣り合う２辺の対応する各辺同士を接合し、他の２辺間は各々不接合としたホルダー本体と、
前記表紙体又は背紙体の不接合の１辺端縁に個々に切り取り可能に列設した小インデックス片群からなるインデックス片と、
を有することを特徴とする紙製ホルダー。
【請求項８】
矩形状の表紙体と背紙体とを、これらの外周４辺のうち、隣り合う２辺の対応する各辺同士を接合し、他の２辺間は各々不接合としたホルダー本体と、
前記表紙体又は背紙体の不接合の２辺端縁に個々に切り取り可能に列設した小インデックス片群からなるインデックス片と、
を有することを特徴とする紙製ホルダー。
【考案の詳細な説明】
【技術分野】
【０００１】
本考案は、紙製ホルダーに関し、詳しくは、インデックス機能の向上、内部の収納書類等の判別性の向上を図った紙製ホルダーに関するものである。本考案は、例えばＡ３サイズ、Ｂ４サイズ、Ａ４サイズ、Ｂ５サイズ等々の書類を収納するための紙製ホルダーである。
【背景技術】
【０００２】
従来から例えばＡ３サイズ、Ａ４サイズ、Ｂ５サイズ等の書類を収納するための紙製ホルダーが種々提案されている。
【０００３】
例えば、この種の紙製ホルダーとして特許文献１には、リサイクル等を目的とし、再生紙を用いた矩形の正面シートと背面シートとを重合し、一方の側辺部と下辺部を閉合するとともに他方の側辺部と下辺部を分離して構成し、更に正面シートの一部に内部を透視可能なグラシン紙を貼った窓部を設けたペーパーホルダーが提案されている。
【０００４】
上述した特許文献１のペーパーホルダーの場合、正面シート、背面シートを形成する再生紙材料の他に、グラシン紙等からなる透明な窓部を設けた構成であるために、ペーパーホルダーの製造上、グラシン紙等を別に用意しなければならない。
また、特許文献１のペーパーホルダーの場合、他方の側辺部、下辺部には指掛け部が存在するものの、ペーパーホルダー内に収納する書類の識別のためのインデックス体を設けていないために、多数のペーパーホルダーを積層状態とするような場合、個々のペーパーホルダーの識別が難しく、インデックス機能の点が考慮されていないものである。
【特許文献１】登録実用新案第３０６０６４１号公報
【考案の開示】
【考案が解決しようとする課題】
【０００５】
解決しようとする問題点は、インデックス機能に優れ、内部の収納書類等が判別し易く、しかも再利用の点や、環境面にも配慮した紙製ホルダーが存在しない点である。
【課題を解決するための手段】
【０００６】
本考案の紙製ホルダーは、矩形状の表紙体と背紙体とを、これらの外周４辺のうち、隣り合う２辺の対応する各辺同士を接合し、他の２辺間は各々不接合としたホルダー本体と、前記表紙体の任意箇所にこの表紙体から切り取り分離可能に設けた開口用片部と、前記表紙体又は背紙体の不接合の１辺端縁に切り取り可能に設けた単数又は複数のインデックス片とを有することを最も主要な特徴とする。
【考案の効果】
【０００７】
本考案によれば、以下の効果を奏する。
すなわち、請求項１乃至３記載の考案によれば、前記開口用片部を切り取り分離し、開口を形成することにより、開口の外部から内部に入れた書類の一部を視認できるとともに、多数の紙製ホルダーを例えば本箱、キャビィネット等に積層配置するような場合でも小インデックス片を列設したインデックス片により優れたインデックス機能を発揮させることができ、更に再生紙材料のみを用いて形成できるために、更なる再利用や公害の無い焼却処分も可能になり、再利用面、環境面でも優れた効果を奏する紙製ホルダーを提供することができる。
【０００８】
また、請求項４乃至６記載の考案によれば、請求項１乃至３記載の考案と同様な効果を奏するとともに、インデックス片を構成する小インデックス片の個数が多いことから、紙製ホルダーを大量に使用する場合において、個々の小インデックス片の適切な残存及び切り取り分離処理により優れたインデックス機能を発揮する紙製ホルダーを提供することができる。
【０００９】
更に、請求項７、８記載の考案によれば、開口用片部を設けないため収納書類に付した文字等を視認でき無い点を除いて、請求項１乃至３記載の考案又は請求項４乃至６記載の考案の場合と同様、優れたインデックス機能を発揮させ、再利用面、環境面でも優れた効果を奏する紙製ホルダーを提供することができる。
【考案を実施するための最良の形態】
【００１０】
インデックス機能に優れ、内部の収納書類等が判別し易く、しかも再利用の点や、環境面にも配慮した紙製ホルダーを提供するという目的を、矩形状の表紙体と背紙体とを、これらの外周４辺のうち、隣り合う２辺の対応する各辺同士を接合し、他の２辺間は各々不接合としたホルダー本体と、前記表紙体の任意箇所にこの表紙体から切り取り分離可能に設けた矩形、多角形、円形、楕円形、ひし形等の形状から選定される開口用片部と、前記表紙体又は背紙体の不接合の１辺端縁に切り取り可能に設けた単数又は複数のインデックス片とを有する構成により実現した。
【実施例】
【００１１】
以下に、本考案の実施例を詳細に説明する。
（実施例１）
図１、図２を参照して本考案の実施例１の紙製ホルダー１について説明する。
【００１２】
本実施例１の紙製ホルダー１は、図１に示すように、矩形状、例えば長方形状の表紙体２と背紙体３とを、これらの外周４辺のうち、隣り合う２辺、すなわち、一方の長辺２ａ、３ａ同士、一方の短辺２ｂ、３ｂ同士を各々接合するとともに、他の２辺間、すなわち他方の長辺２ｃ、３ｃ同士、他方の短辺２ｄ、３ｄ同士は各々不接合としたホルダー本体４と、前記表紙体２の任意箇所、例えば中央箇所にこの表紙体２から切り取り分離可能で、分離後は図２に示すように開口６を形成するようにミシン目（図１において点線で示す）加工を施して設けた開口用片部５と、例えば前記背紙体３の不接合の長辺３ｃの端縁に沿って切り取り可能となるようにミシン目（図１において点線で示す）加工を施して設けたインデックス片７とを有している。
本実施例における紙製ホルダー１は、例えば、Ａ３サイズ、Ｂ４サイズ、Ａ４サイズ、Ｂ５サイズ等々の書類を収納するためのものである。
【００１３】
前記表紙体２、背紙体３における一方の長辺２ａ、３ａ同士、一方の短辺２ｂ、３ｂ同士の各接合は、例えば図３に示すように、表紙体２と背紙体３とを一体の折り返し構造で形成するとともに、表紙体２の短辺２ｂ側に折り返し辺２ｅを予め設けておき、表紙体２と背紙体３とを折り返し、折り返し辺２ｅを背紙体３の裏側に折り畳み接着剤で接着することで行うようにしている。
【００１４】
前記開口用片部５の形状は、図１に示すような矩形（四角形）の他、多角形や円形、楕円形、ひし形等の所望の各種形状を選定でき、これらはいずれも前記表紙体２に対するミシン目加工により容易に形成することができる。
【００１５】
前記インデックス片７は、図１に示すように、例えば長辺３ｃの端縁に沿って予め一体形成している長方形辺８に対して、前記長辺３ｃの端縁全体にわたるミシン目加工及び長方形辺８の短辺方向への例えば５箇所等間隔のミシン目加工を施すことで形成している。
すなわち、インデックス片７は、全体として前記長辺３ｃから切り取り分離可能であるとともに、合計６個の小インデックス片７ａ乃至７ｆを個別に分離可能に構成している。
【００１６】
なお、前記インデックス片７は、前記表紙体２の長辺２ｃ側に設けてもよいことはもちろんである。また、前記インデックス片７を構成する小インデックス片の個数は、上述した場合の他、単数すなわち１個、２個、３個、４個等任意個数として実施可能である。
【００１７】
上述した本実施例１の紙製ホルダー１によれば、例えば書類２０を入れて収納することにより、前記開口用片部５を切り取り分離し、開口６を形成することにより、図２に示すように、書類２０に付した文字（例えばＡＢＣ等）を表紙体２の開口６の外部から視認でき、紙製ホルダー１単体で使用する場合の収納書類の判別が極めて便利である。
【００１８】
また、前記インデックス片７のうち小インデックス片７ａのみを残し、小インデックス片７ｂ乃至７ｆを切り取り分離するとともに、残った小インデックス片７ａに例えば［１］等のような見出し文字を付し、図示しないが異なる紙製ホルダーには小インデックス片７ｂのみを残し、小インデックス片７ａ及び小インデックス片７ｃ乃至７ｆを切り取り分離するとともに、残った小インデックス片７ｂに例えば［２］等のような見出し文字を付しておくことにより、多数の紙製ホルダー１を例えば本箱、キャビィネット等に積層配置するような場合でも、小インデックス片７ａ、７ｂ等により優れたインデックス機能を発揮させることができる。
【００１９】
更に、本実施例１の紙製ホルダー１は、全体として再生紙材料のみを用いて形成できるために、更なる再利用や公害の無い焼却処分も可能になり再利用面、環境面でも優れた作用、効果を発揮する。
【００２０】
（実施例２）
次に、図４、図５を参照して本考案の実施例２について説明する。
本実施例２の紙製ホルダー１Ａは、実施例１の紙製ホルダー１の構成に加えて、図４、図５に示すように、背紙体３における他方の３ｄの端縁に沿って切り取り可能となるようにミシン目（図４、図５において点線で示す）加工を施して設けたインデックス片９を付加したことが特徴である。インデックス片９は、前記インデックス片７と同様な構成としている。
【００２１】
すなわち、例えば背紙体３における短辺３ｄの端縁に沿って予め一体形成している長方形辺１０に対して、前記短辺３ｄの端縁全体にわたるミシン目加工及び長方形辺１０の短辺方向への例えば３箇所等間隔のミシン目加工を施すことで形成している。
前記インデックス片９は、全体として前記短辺３ｄから切り取り分離可能であるとともに、合計４個の小インデックス片９ａ乃至９ｄを個別に分離可能に構成している。
【００２２】
なお、前記インデックス片９は、前記表紙体２の短辺２ｄ側に設けてもよいことはもちろんである。また、前記インデックス片９を構成する小インデックス片の個数は、上述した場合の他、単数すなわち１個、２個、３個等任意個数として実施可能である。この他の構成は、実施例１の紙製ホルダー１の場合と同様である。
【００２３】
本実施例２の紙製ホルダー１Ａによれば、実施例１の紙製ホルダー１の場合と同様な作用、効果を発揮するとともに、前記６個の小インデックス片７ａ乃至７ｆからなるインデックス片７に加えて、４個の小インデックス片９ａ乃至９ｄからなるインデックス片９をも有することから、例えば紙製ホルダー１Ａを大量に使用する場合において、個々の小インデックス片７ａ乃至７ｆ、小インデックス片９ａ乃至９ｄの適切な残存及び切り取り分離処理により優れたインデックス機能を発揮させることができる。
【００２４】
（実施例３）
次に、図６を参照して本考案の実施例３について説明する。
本実施例３の紙製ホルダー１Ｂは、実施例１の紙製ホルダー１の構成における前記開口用片部５を無くした（設けない）構成としたことが特徴であり、この他の構成は実施例１の場合と同様である。
【００２５】
本実施例３の紙製ホルダー１Ｂによっても、開口用片部５を設けないため前記書類２０に付した文字等を視認でき無い点を除いて、実施例１の紙製ホルダー１の場合と同様な作用、効果を発揮させることができる。
【００２６】
（実施例４）
次に、図７を参照して本考案の実施例４について説明する。
本実施例４の紙製ホルダー１Ｃは、実施例２の紙製ホルダー１Ａの構成における前記開口用片部５を無くした（設けない）構成としたことが特徴であり、この他の構成は実施例２の場合と同様である。
【００２７】
本実施例４の紙製ホルダー１Ｃによれば、開口用片部５を設けないため前記書類２０に付した文字等を視認でき無い点を除いて、実施例２の紙製ホルダー１Ａの場合と同様、紙製ホルダー１Ｃを大量に使用する場合において、優れたインデックス機能を発揮させることができる。
【００２８】
図８、図９は、実施例１又は２の紙製ホルダー１の応用例を示すもので、表紙体２の表面の開口用片部５を含む領域に、図８に示すように、この紙製ホルダー１の商品内容の説明文、例えば「紙の色の種類もいろいろあります。」を付すとともに、前記背紙体３における前記開口用片部５に対応する領域に、図８に示すように、開口用片部５に付した文字、すなわち、「色の種類」及び「いろあり」の文字を付した紙製ホルダー１Ｃを示すものである。前記紙製ホルダー１Ａの場合においても同様な応用が可能である。
【００２９】
このような構成により、前記紙製ホルダー１Ｃにおいて、表紙体２の開口用片部５を切り取り分離した後も、この紙製ホルダー１Ｃの外部からその切り取り前と同一の説明文、すなわち、「紙の色の種類もいろいろあります。」を視認することができる。
【産業上の利用可能性】
【００３０】
本考案は、上述した紙製ホルダーに適用する場合の他、透明ビニール等により形成する合成樹脂製のホルダーにも応用可能である。
【図面の簡単な説明】
【００３１】
【図１】本考案の実施例１の紙製ホルダーの斜視図である。
【図２】本考案の実施例の紙製ホルダーの使用状態の斜視図である。
【図３】本考案の実施１例の紙製ホルダーにおける展開状態の平面図である。
【図４】本考案の実施例２の紙製ホルダーの斜視図である。
【図５】本考案の実施例２の紙製ホルダーの開口用片部を切り取った状態の斜視図である。
【図６】本考案の実施例３の紙製ホルダーの斜視図である。
【図７】本考案の実施例４の紙製ホルダーの斜視図である。
【図８】本考案の実施例１又は２の紙製ホルダーの応用例を示す斜視図である。
【図９】本考案の実施例１又は２の紙製ホルダーの応用例の一部切り欠き斜視図である。
【符号の説明】
【００３２】
１    紙製ホルダー
１Ａ  紙製ホルダー
１Ｂ  紙製ホルダー
１Ｃ  紙製ホルダー
２    表紙体
２ａ，２ｃ  長辺
２ｂ，２ｄ  短辺
２ｅ  折り返し辺
３    背紙体
３ａ，３ｃ  長辺
３ｂ，３ｄ  短辺
４    ホルダー本体
５    開口用片部
６    開口
７    インデックス片
７ａ〜７ｆ  小インデックス片
８    長方形辺
９    インデックス片
９ａ〜９ｄ  小インデックス片
１０    長方形辺
２０    書類
【図１】
0003105385.tif 000003
【図２】
0003105385.tif 000004
【図３】
0003105385.tif 000005
【図４】
0003105385.tif 000006
【図５】
0003105385.tif 000007
【図６】
0003105385.tif 000008
【図７】
0003105385.tif 000009
【図８】
0003105385.tif 000010
【図９】
0003105385.tif 000011